(57)【要約】【課題】光学調整されたレンズユニットの位置精度に影響を与えずに放射ノイズを効果的に抑制することを、簡略な手段で実現する。【解決手段】原稿からの光をレンズ７で撮像素子８上に結像させ、撮像素子で光電変換するように構成された画像読取装置において、レンズを搭載する導電性のシャーシ１４と、所定の電気回路が配置された複数のプリント配線板９（もう１つは不図）と、複数のプリント配線板間を電気的に接続するケーブル１０と、一端がプリント配線板９のグラウンドパターンに接続され、他端が導電性のシャーシ１４に弾性的に接触する導電性接続部材２０１とを備え、ケーブル１０を導電性接続部材２０１に沿って配線した。【選択図】      図１
2006109179.tif 000002
【特許請求の範囲】
【請求項１】
原稿からの光をレンズで撮像素子上に結像させ、該撮像素子で光電変換するように構成された画像読取装置において、
前記レンズを搭載する導電性のシャーシと、
所定の電気回路が配置された複数のプリント配線板と、
該複数のプリント配線板間を電気的に接続するケーブルと、
一端が前記プリント配線板のグラウンドパターンに接続され、他端が前記導電性のシャーシに弾性的に接触する導電性接続部材とを備え、
前記ケーブルを前記導電性接続部材に沿って配線したことを特徴とする画像読取装置。
【請求項２】
前記導電性接続部材の幅が前記ケーブルの幅以上であることを特徴とする請求項１に記載の画像読取装置。
【請求項３】
前記導電性接続部材の弾性と略同等の弾性をもって前記導電性のシャーシに接触するもう一つの導電性接続部材を更に備えることを特徴とする請求項１に記載の画像読取装置。
【請求項４】
前記複数のプリント配線板の一つが、前記撮像素子を実装した撮像素子ドライバ基板であるとともに、前記複数のプリント配線板の他の一つが、画像処理デバイスを実装した画像処理基板であり、前記ケーブルは前記撮像素子ドライバ基板と前記画像処理基板を電気的に接続するように配線され、前記導電性部材が前記撮像素子ドライバ基板と前記画像処理基板の双方に設けられていることを特徴とする請求項１乃至３のいずれか１項に記載の画像読取装置。
【発明の詳細な説明】
【技術分野】
【０００１】
本発明は例えば、スキャナ、ファックス、複写機等に使用される画像読取装置に関するものである。
【背景技術】
【０００２】
従来の画像読取装置の概略構成を図６を参照して説明する。
【０００３】
１は原稿台であり、矢印方向にスキャンニングする光学ユニット２内の光源３から原稿を照射した反射光が第一ミラー４で反射し、第二ミラー５、第三ミラー６の順に反射を繰り返し、レンズ鏡筒等７を通過した後、ＣＣＤ素子８において画像信号として変換される。この画像信号はＣＣＤドライバ基板９内の回路（不図示）によってアナログ信号からデジタル信号に変換された後、画像処理基板１６（図７参照））にケーブル１０で伝送される。ここで７〜１０はレンズユニットと呼ばれ、ピント合わせ、光軸合わせのためにレンズ鏡筒等７とＣＣＤ素子８の相対位置を調整する必要がある。これをユニット調整と呼ぶ。また、レンズユニットを画像読取装置本体に取り付ける際の、本体側のピント位置と光軸位置に対してレンズユニットのピント位置と光軸位置を合わせるために、レンズユニットの取り付け位置を調整する必要がある。これを本体調整と呼ぶ。
【０００４】
次に図７（水平断面図）、図８（正面垂直断面図）、図９（側面垂直断面図）を参照して詳細なレンズユニットの説明とあわせてレンズユニット内の光学的調整（ユニット調整）について説明する。
【０００５】
９はＣＣＤドライバ基板であり、支持とＣＣＤ素子８の放熱板を兼ねた折り曲げ加工された板金部材１２にビス１０１で接続されている。板金部材１２はハンダのつきやすい表面処理が施された板金部材１３にビス１０２で接続されている。また、レンズトレイと呼ばれる導電性シャーシ１４は、折り曲げ加工部１４ａがビス１０３によって、ハンダのつきやすい表面処理が施された板金部材１５に接続されている。そして、レンズ鏡筒等７のピントと光軸が合う位置にＣＣＤ素子８が位置するように、板金部材１３と板金部材１５がある間隔を保って配置され、板金部材１３，１５の端部をハンダ１０４で接続することで、ユニット調整を行っている。
【０００６】
次にレンズトレイ１４の画像読取装置本体１１の光学的調整（本体調整）について説明する。
【０００７】
３点の高さ調整ビス１０５でレンズトレイ１４が支持され、板バネ１０６によって底板１１に押し付けられることで高さ方向の位置精度調整を行っている。また、高さ調整ビス１０５に対してレンズトレイ１４を紙面左右方向に移動させることでレンズユニットと本体光学系とのピント調整を行う。また、レンズトレイ１４を紙面と垂直な軸回りに回転させる方向に対しての調整は１０７の調整機構で行っている。
【０００８】
このようなＣＣＤ素子８とレンズトレイ１４を用いた画像読取装置は年々高解像度化が進んでおり、特にレンズ鏡筒等７とＣＣＤ素子８と原稿台１の相対関係の高精度化が要求されている。
【０００９】
また、画像読取装置は年々高速化が進んでおり、画像信号は高い周波数のクロック信号に同期してケーブル１０で伝送される。この種の高周波デジタル信号は基本周波数の高調波成分を多く含み、その高調波成分周波数においてケーブル１０からの放射ノイズが問題となるケースが非常に多い。
【００１０】
そこで、ケーブル１０からの放射ノイズを抑制するために、図８に図示したようにケーブル１０の長さ方向の大半の部分をレンズトレイ１４に密着して配線している。そのためケーブル１０を流れる電流Ａ１が、レンズトレイ１４上に流れている逆相のリターン電流Ｂ１に対して近接するため、磁界の打ち消し効果から放射ノイズが抑制できる。
【００１１】
しかし、図７において両端が板金部材に電気的に接続された長尺のＣＣＤドライバ基板９とケーブル１０の接続部に関しては、ケーブル１０を流れる電流Ａ２に対するリターン電流Ｂ２の経路は、レンズトレイ１４から板金部材１５、ハンダ接続部１０４、板金部材１３，１２、そして長尺のＣＣＤドライバ基板９の両端部の順になっている。板金部材１５と板金部材１３は、上述の光学的調整の理由からＣＣＤドライバ基板長手方向にある一定の距離を保って端部でしかハンダによって接続されていない。つまり、リターン電流Ｂ２は図示したように大きく迂回する。そのため、ケーブルを流れる電流Ａ２とリターン電流Ｂ２の磁界打ち消し効果は非常に弱い。それゆえ、この箇所から放射ノイズが大きく発生する。
【００１２】
同様に、図９において画像処理基板１６とケーブル１０の接続部に関しても、ケーブル１０を流れる電流Ａ３に対するリターン電流Ｂ３の経路は、画像処理基板１６から画像処理基板の接地部、底板１１、高さ調節ビス１０５（または板バネ１０６）、レンズトレイ１４の順になっている。レンズトレイ１４は、上述の光学的調整の理由から高さ調節ビスによってある一定の高さを有している。また、画像処理基板１６についても底板からある程度の高さを持って配置されている。つまり、リターン電流Ｂ３は図示したように大きく迂回する。そのため、ケーブルを流れる電流Ａ３とリターン電流Ｂ３の磁界打ち消し効果は非常に弱い。それゆえ、この箇所から放射ノイズが大きく発生する。
【００１３】
この問題を解決するためには、特開平１１−０４０９００号公報に開示されている技術を用いて解決することが考えられる。プリント配線板のグラウンドプレーンと導電性シャーシを接続し、その上にケーブルを配設するというものである。
【特許文献１】特開平１１−０４０９００号公報
【発明の開示】
【発明が解決しようとする課題】
【００１４】
しかしながら、プリント配線板のグラウンドとレンズトレイ１４という導電性シャーシを弾性のない板金等によってそれぞれビス等で接続しようとした場合、レンズトレイ自体に無理な力が加わり、位置精度に影響する可能性がある。例えば図１０の例では、画像処理基板１６の外形精度、取り付け精度によっては、レンズトレイ１４に正面方向（矢印方向）に力が加わることになり、読み取り画像の歪みの原因となる。
【００１５】
本発明は上述した課題に鑑みてなされたものであり、その目的は、光学調整されたレンズユニットの位置精度に影響を与えず、（従って読み取り画像の画質を低下させず）に放射ノイズを効果的に抑制することを、簡略な手段で実現することである。
【課題を解決するための手段】
【００１６】
上述した課題を解決し、目的を達成するために、本発明に係わる画像読取装置は、原稿からの光をレンズで撮像素子上に結像させ、該撮像素子で光電変換するように構成された画像読取装置において、前記レンズを搭載する導電性のシャーシと、所定の電気回路が配置された複数のプリント配線板と、該複数のプリント配線板間を電気的に接続するケーブルと、一端が前記プリント配線板のグラウンドパターンに接続され、他端が前記導電性のシャーシに弾性的に接触する導電性接続部材とを備え、前記ケーブルを前記導電性接続部材に沿って配線したことを特徴とする。
【００１７】
また、この発明に係わる画像読取装置において、前記導電性接続部材の幅が前記ケーブルの幅以上であることを特徴とする。
【００１８】
また、この発明に係わる画像読取装置において、前記導電性接続部材の弾性と略同等の弾性をもって前記導電性のシャーシに接触するもう一つの導電性接続部材を更に備えることを特徴とする。
【００１９】
また、この発明に係わる画像読取装置において、前記複数のプリント配線板の一つが、前記撮像素子を実装した撮像素子ドライバ基板であるとともに、前記複数のプリント配線板の他の一つが、画像処理デバイスを実装した画像処理基板であり、前記ケーブルは前記撮像素子ドライバ基板と前記画像処理基板を電気的に接続するように配線され、前記導電性部材が前記撮像素子ドライバ基板と前記画像処理基板の双方に設けられていることを特徴とする。
【発明の効果】
【００２０】
本発明によれば、光学調整されたレンズユニットの位置精度に影響を与えず、（従って読み取り画像の画質を低下させず）に放射ノイズを効果的に抑制することを、簡略な手段で実現することが可能となる。
【発明を実施するための最良の形態】
【００２１】
以下、本発明の好適な実施の形態について図面を参照して詳細に説明する。ただし、この実施の形態に記載されている構成部品の寸法、材質、形状、相対的配置等については、本発明の範囲をそれらのみに限定するものではない。
【００２２】
（第一の実施の形態）
図１（正面垂直断面図）を参照して、本発明の第一の実施の形態の画像読取装置について説明する。
【００２３】
尚、従来例と変わらない構成部品に対しては同じ番号を付してこれについての説明は省略する。
【００２４】
本実施の形態では、弾性のある導電性接続部材２０１を両端が板金部材に電気的に接続された長尺のＣＣＤドライバ基板９の中央部にあるコネクタ９ａの裏面のベタグラウンドパターン(図示せず)に、ハンダ付けまたはコネクタ９ａの両端でビス止めするなどして面接触するようにしている。且つ導電性接続部材２０１の逆端を弾性によってレンズトレイ１４の下面に面接触するように構成した。そして、その導電性接続部材２０１の下に沿うようにケーブル１０を配設している。
【００２５】
この構成によれば、両端が板金部材に電気的に接続された長尺のＣＣＤ基板９とレンズトレイ１４の接続部に関しても、ケーブルを流れる電流Ａ４に対して、導電性接続部材２０１にリターン電流Ｂ４が近接して流れるために、磁界の打ち消し効果が得られる。更に言えば、ケーブル１０の端部に高速信号が伝送されるなどの場合においても安定したノイズ低減効果を得るためには、導電性接続部材２０１の幅はケーブルの幅以上あることが望ましいと言える。そのため、本実施の形態では、導電性接続部材２０１の幅をケーブル１０の幅以上に設定している。
【００２６】
また、導電性接続部材２０１の弾性によるレンズトレイ１４にかかる力も、ハンダ１０４によって吸収される程度の僅かなものであるために、ＣＣＤ素子８とレンズ鏡筒等７の光軸調整に影響を与えるほどではなく、読み取り画像の画質を低下させることはない。
【００２７】
（第二の実施の形態）
図２、図３を参照して、本発明の第二の実施の形態の画像読取装置について説明する。
【００２８】
本実施の形態では、導電性接続部材２０２を画像処理基板１６のコネクタ１６ａの裏面のベタグラウンドパターン（図示せず）に面接触するように、ハンダ付けまたはコネクタ１６ａの両端でビス止めするなどして面接触するようにしている。且つ導電性部材２０２の逆端を弾性によってレンズトレイ１４の裏面に面接触するように構成した。そして、その導電性部材２０２の上に沿うようにケーブル１０を配設している。
【００２９】
この構成によれば、画像処理基板１６とレンズトレイ１４の接続部に関しても、ケーブルを流れる電流Ａ５に対して、導電性接続部材２０２にリターン電流Ｂ５が近接して流れるために、磁界の打ち消し効果が得られる。更に言えば、ケーブル１０の端部に高速信号が伝送されるなどの場合においても安定したノイズ低減効果を得るためには、導電性接続部材２０２の幅はケーブルの幅以上あることが望ましいと言える。そのため、本実施の形態では、導電性接続部材２０２の幅をケーブル１０の幅以上に設定している。
【００３０】
また、導電性接続部材２０２の弾性によるレンズトレイ１４にかかる力は、弾性による僅かなものであるために、そのほとんどが板バネ１０６で吸収可能である。しかし、それでも尚若干のレンズトレイ１４の位置に歪みを生じさせる原因となる場合については、図３に示した底板１１にネジ止めした板バネ２０４によって、導電性接続部材２０２がレンズトレイ１４に与える力と同等に近い力をレンズトレイ１４に与えることで解決できる。
【００３１】
結果として、レンズトレイ１４全体は上向きの力が加えられることになるが、これに関しては、図２の板バネ１０６の弾性を強化し、レンズトレイ１４に均一の下向きの力を与えることで打ち消すことができる。従って、導電性接続部材２０２がレンズトレイ１４の高さ方向精度に影響を与えることはなく、読み取り画像の画質を低下させることはない。
【００３２】
（第三の実施の形態）
また、第二の実施の形態において、導電性接続部材の弾性によるレンズトレイ１４への面接触の手段として、レンズトレイ１４の側面に弾性で面接触する図４、５のような形式の導電性部材２０３も例示できる。図４においてケーブル１０が導電性接続部材２０３の上面からレンズトレイ１４の下面にもぐりこむために、導電性接続部材２０３の折り曲げ部に切り込み加工２０３ａが施されている。
【００３３】
この場合においても、画像処理基板１６とレンズトレイ１４の接続部に関して、ケーブルを流れる電流Ａ５に対して、導電性接続部材２０３にリターン電流Ｂ５が近接して流れるために、磁界の打ち消し効果が得られる。また、ケーブル１０の端部に高速信号が伝送されるなどの場合においても安定したノイズ低減効果を得るためには、導電性接続部材２０３の幅はケーブルの幅以上あることが望ましいと言える。そのため、本実施の形態では、導電性接続部材２０３の幅をケーブル１０の幅以上に設定している。
【００３４】
また、導電性接続部材２０３がレンズトレイ１４に加える僅かな力は矢印Ｃ方向に働くために、これを打ち消す力を加える板バネ２０５を設ける。このことによって、レンズトレイ全体にかかる力は打ち消され、光軸調整されたレンズトレイ１４の位置精度に大きな影響を与えず、ひいては読み取り画像の画質が低下することを防止できる。
【００３５】
（第四の実施の形態）
第四の実施の形態は、第一の実施の形態と第二または第三の実施の形態の両方を兼ね備えた構造である。即ち、ＣＣＤドライバ基板９と画像処理基板１６の両方に対して導電性接続部材２０１と２０２（２０３）を設けることによって、それぞれレンズトレイ１４と接続し、その上側または下側にケーブル１０を配設する構造である。
【００３６】
この場合、ケーブル１０を流れる電流Ａに対して間断なくリターン電流Ｂが近接するため、その放射ノイズ抑制効果は非常に大きい。また、ケーブル１０の端部に高速信号が伝送されるなどの場合においても安定したノイズ低減効果を得るためには、導電性接続部材２０１，２０２（２０３）の幅はケーブルの幅以上あることが望ましいと言える。そのため、本実施の形態では、導電性接続部材２０１，２０２（２０３）の幅をケーブル１０の幅以上に設定している。
【００３７】
更に付け加えると、第一、第二、第三の実施の形態において各々示したように、導電性接続部材２０１，２０２（２０３）が光軸調整されたレンズトレイ１４の位置精度に影響を与えることはないため、読み取り画像の画質が低下することを防止できる。
【００３８】
以上説明したように、上記の実施形態によれば、プリント配線板におけるコネクタ近傍のグラウンドパターンに実装された導電性接続部材を有し、該導電性接続部材がレンズを搭載する導電性シャーシに弾性を持って接触するため、レンズの光軸調整にほとんど影響することがなく、読み取り画像の画質低下を防止できる。
【００３９】
また、導電性接続部材に沿ってケーブルを配線しているため、放射ノイズを抑制できる。
【００４０】
また、導電性接続部材の幅がケーブルの幅よりも広いことで、さらに放射ノイズを安定して抑制できる。
【００４１】
また、導電性接続部材の弾性と同等に近い弾性を有するもうひとつの導電性接続部材がレンズを搭載する導電性のシャーシに接触することで、さらにレンズの光軸調整への悪影響を排除可能で、読み取り画像の画質低下を防止できる。
【００４２】
また、プリント配線板が、特に高周波信号を扱うＣＣＤ素子を実装した両端が板金部材に電気的に接続された長尺のＣＣＤドライバ基板であることで、放射ノイズ抑制効果は更に高まる。
【００４３】
また、プリント配線板が、特に高周波信号を扱う画像処理デバイスを実装した画像処理基板であることで、放射ノイズ抑制効果は更に高まる。
【００４４】
また、導電性接続部材が、両端が板金部材に電気的に接続された長尺のＣＣＤドライバ基板と画像処理基板の両方に設けられることで、さらに放射ノイズを抑制できる。
【図面の簡単な説明】
【００４５】
【図１】本発明の画像読取装置の第一の実施の形態を示す正面垂直断面図である。
【図２】本発明の画像読取装置の第二の実施の形態を示す水平断面図である。
【図３】本発明の画像読取装置の第二の実施の形態を示す側面垂直断面図である。
【図４】本発明の画像読取装置の第三の実施の形態を示す水平断面図である。
【図５】本発明の画像読取装置の第三の実施の形態を示す側面垂直断面図である。
【図６】画像読取装置の概略図である。
【図７】従来の画像読取装置を示す水平断面図である。
【図８】従来の画像読取装置を示す正面垂直断面図である。
【図９】従来の画像読取装置を示す側面垂直断面図である。
【図１０】従来の画像読取装置に公知技術を適用した例を示した水平断面図である。
【符号の説明】
【００４６】
１  原稿台
２  光学ユニット
３  光源
４  第一ミラー
５  第二ミラー
６  第三ミラー
７  レンズ鏡筒等
８  ＣＣＤ素子
９  ＣＣＤドライバ基板
９ａ  コネクタ
１０  ケーブル
１１  画像読取装置本体（または底板）
１２  ＣＣＤドライバ基板支持板金
１３  板金部材
１４  レンズトレイ
１５  板金部材
１６  画像処理基板
１６ａ  コネクタ
１０１〜１０３  ビス
１０４  ハンダ
１０５  高さ調整ビス
１０６  板バネ
１０７  ビス
２００  導電性接続部材
２０１〜２０３  弾性のある導電性接続部材
２０４、２０５  板バネ
Ａ１〜Ａ５  ケーブルを流れる電流
Ｂ１〜Ｂ５  リターン電流
【図１】
2006109179.tif 000003
【図２】
2006109179.tif 000004
【図３】
2006109179.tif 000005
【図４】
2006109179.tif 000006
【図５】
2006109179.tif 000007
【図６】
2006109179.tif 000008
【図７】
2006109179.tif 000009
【図８】
2006109179.tif 000010
【図９】
2006109179.tif 000011
【図１０】
2006109179.tif 000012